(57)【要約】【課題】機器の鍵を交換又は廃棄する場合に、鍵の交換漏れ又は廃棄漏れを効率良く防止することができる管理装置、管理システム及び管理方法を提供することが課題である。【解決手段】第一の鍵と、第一の鍵と連結するキーホルダ１４と、第一の鍵に関する情報である関連鍵情報１８ｄを予め記憶する記憶部１８と、第一の鍵とキーホルダ１４との連結の解除の入力を受け付ける鍵交換操作受付部１９ｄとを備え、鍵交換操作受付部１９ｄにより第一の鍵とキーホルダ１４との連結の解除を受け付けた場合に、記憶部１８に予め記憶された関連鍵情報１８ｄを基に、第一の鍵に関連する第二の鍵に係る情報を、ホルダランプ１３ａの点滅あるいは点灯により、又は表示操作部１１への表示により報知する。【選択図】図３
2019173408.tif 000002
【特許請求の範囲】
【請求項１】
第一の鍵と、
前記第一の鍵と連結するキーホルダと、
前記第一の鍵に関する情報を予め記憶する記憶部と、
前記第一の鍵と前記キーホルダとの連結の解除の入力を受け付ける入力受付部と
を備え、
前記入力受付部により前記第一の鍵と前記キーホルダとの連結の解除を受け付けた場合に、前記記憶部に予め記憶された情報を基に、前記第一の鍵に関連する第二の鍵に係る情報を報知する
管理装置。
【請求項２】
前記キーホルダを収納する収納部の近傍にそれぞれ第一の表示部を有し、
前記入力受付部により前記第一の鍵と前記キーホルダとの連結の解除を受け付けた場合に、前記第一の鍵に関連する第二の鍵が連結されたキーホルダを収納する収納部の近傍に設けられた第一の表示部が点灯又は点滅する
請求項１に記載の管理装置。
【請求項３】
文字表示が可能な第二の表示部をさらに備え、
前記入力受付部により前記第一の鍵と前記キーホルダとの連結の解除を受け付けた場合に、前記第一の鍵に関連する第二の鍵に係る情報を前記第二の表示部に表示制御する
請求項１又は２に記載の管理装置。
【請求項４】
前記入力受付部により前記第一の鍵と前記キーホルダとの連結の解除を受け付けた場合に、前記第一の鍵に関連する第二の鍵に係る情報を所定の印字部により所定の媒体に印字する
請求項１乃至３のいずれか一つに記載の管理装置。
【請求項５】
前記キーホルダにはＩＣタグが内蔵され、
前記入力受付部により前記第一の鍵と前記キーホルダとの連結の解除を受け付けた場合に、前記記憶部に予め記憶された情報を基に、前記第一の鍵に関連する第二の鍵に係る情報を特定して前記キーホルダに内蔵されたＩＣタグに記憶する
請求項１乃至４のいずれか一つに記載の管理装置。
【請求項６】
第一の管理装置と、該第一の管理装置と異なる第二の管理装置とを有する管理システムであって、
前記第一の管理装置は、
第一の鍵と、
前記第一の鍵と連結するキーホルダと、
前記第一の鍵に関する情報を予め記憶する記憶部と、
前記第一の鍵と前記キーホルダとの連結の解除の入力を受け付ける入力受付部と
を備え、
前記入力受付部により前記第一の鍵と前記キーホルダとの連結の解除を受け付けた場合に、前記記憶部に予め記憶された情報を基に、前記第一の鍵に関連する第二の鍵に係る情報を所定の印字部により所定の媒体に印字し、
前記第二の管理装置は、
前記媒体に印字された前記第二の鍵に係る情報を読み取る読取部を備えた
管理システム。
【請求項７】
第一の管理装置と、該第一の管理装置と異なる第二の管理装置とを有する管理システムであって、
前記第一の管理装置は、
第一の鍵と、
所定の情報を記憶するＩＣタグが内蔵され、前記第一の鍵と連結するキーホルダと、
前記第一の鍵に関する情報を予め記憶する記憶部と、
前記第一の鍵と前記キーホルダとの連結の解除の入力を受け付ける入力受付部と
を備え、
前記入力受付部により前記第一の鍵と前記キーホルダとの連結の解除を受け付けた場合に、前記記憶部に予め記憶された情報を基に、前記第一の鍵に関連する第二の鍵に係る情報を特定して前記キーホルダに内蔵されたＩＣタグに記憶し、
前記第二の管理装置は、
前記ＩＣタグに記憶された第二の鍵に係る情報を読み取る読取部と、
前記読取部により読み取られた第二の鍵に係る情報を出力する出力部と
を備えた管理システム。
【請求項８】
第一の管理装置と、該第一の管理装置と異なる第二の管理装置とを有する管理システムであって、
前記第一の管理装置は、
第一の鍵と、
前記第一の鍵と連結するキーホルダと、
前記第一の鍵に関する情報を予め記憶する記憶部と、
前記第一の鍵と前記キーホルダとの連結の解除の入力を受け付ける入力受付部と、
前記入力受付部により前記第一の鍵と前記キーホルダとの連結の解除を受け付けた場合に、前記第二の管理装置と通信可能であることを条件として、前記連結の解除に係る解除情報を前記第二の管理装置に通知する通知部と
を備えた管理システム。
【請求項９】
前記記憶部は、前記解除情報を記憶し、
前記通知部は、前記第二の管理装置と通信可能な状態になったことを条件として、前記記憶部に記憶された前記解除情報を前記第二の管理装置に通知する
請求項８に記載の管理システム。
【請求項１０】
第一の管理装置と、前記第一の管理装置と通信可能なサーバ装置と、前記第一の管理装置と異なる第二の管理装置とを有する管理システムであって、
前記第一の管理装置は、
第一の鍵と、
前記第一の鍵と連結するキーホルダと、
前記第一の鍵に関する情報を予め記憶する記憶部と、
前記第一の鍵と前記キーホルダとの連結の解除の入力を受け付ける入力受付部と、
前記入力受付部により前記第一の鍵と前記キーホルダとの連結の解除を受け付けた場合に、前記連結の解除に係る解除情報を前記サーバ装置に通知する通知部と
を備え、
前記サーバ装置は、
前記第一の管理装置から受信した解除情報を記憶する第二の記憶部を備えた
管理システム。
【請求項１１】
前記サーバ装置は、
前記第二の管理装置と通信可能な状態になったことを条件として、前記第二の記憶部に記憶された前記解除情報を前記第二の管理装置に通知する
請求項１０に記載の管理システム。
【請求項１２】
第一の鍵を管理する管理装置における管理方法であって、
前記第一の鍵に関する情報を予め記憶部に記憶する記憶ステップと、
前記第一の鍵と該第一の鍵を連結するキーホルダとの連結の解除の入力を受け付ける入力受付ステップと、
前記第一の鍵と前記キーホルダとの連結の解除が前記入力受付ステップで入力された場合に、前記記憶部に予め記憶された情報を基に、前記第一の鍵に関連する第二の鍵に係る情報を報知する報知ステップと
を含む管理方法。
【発明の詳細な説明】
【技術分野】
【０００１】
本発明は、機器の鍵を交換又は廃棄する場合に、鍵の交換漏れ又は廃棄漏れを効率良く防止することができる管理装置、管理システム及び管理方法に関する。
【背景技術】
【０００２】
従来、金融機関及び流通機関の店舗には、貨幣処理機等の各種の機器が配設されており、この種の機器には複数の錠が設けられることが多い。そして、これらの錠を施解錠するための鍵は、厳重に管理する必要があるため、鍵管理機において管理されている。
【０００３】
具体的には、鍵管理機には複数の錠機構が設けられており、ワイヤー等の連結材を介して一又は複数の鍵と連結されたキーホルダが各錠機構に対して挿脱される。そして、機器の錠機構を解錠する場合には、操作者が、鍵管理機に対して所定の操作を行って、鍵管理機から所望の鍵が連結されたキーホルダを取り出し、取り出したキーホルダに連結された鍵を用いて機器に設けられた錠機構を解錠する。
【０００４】
ここで、例えば既存の機器を新たな機器に更新する場合には、鍵管理機にて管理された鍵を交換する必要が生じるため、かかる鍵交換に関する従来技術が知られている。例えば特許文献１には、キーホルダと鍵との連結を解除して鍵を交換する鍵交換操作が可能な特殊操作部と、鍵交換履歴を記憶する記憶部を備えた鍵交換装置が開示されている。
【先行技術文献】
【特許文献】
【０００５】
【特許文献１】特開２０１７−０４０１６０号公報
【発明の概要】
【発明が解決しようとする課題】
【０００６】
しかしながら、上記特許文献１によれば、複数の関連鍵が存在する場合に、どの鍵をキーホルダから取り外して交換すべきかを利用者が把握していなければならず、鍵の交換漏れなどが生ずる可能性がある。
【０００７】
例えば、ある機器について、前扉用の鍵、収納庫用の鍵、電源用の鍵、これらの鍵を主鍵とする予備鍵（以下、「副鍵」と言う）等の複数の関連鍵が存在する状況で、この機器が新たな機器に交換される場合には、該機器の鍵を全て交換する必要が生ずる。しかし、上記特許文献１によれば、どの鍵を交換すべきであるかを特定できないため、鍵の交換漏れが生ずる可能性が否定できない。
【０００８】
これらのことから、機器の鍵を交換する場合に、いかにして鍵の交換漏れを防止するかが重要な課題となっている。なお、かかる課題は、機器の鍵を交換する場合だけではなく、機器の鍵を廃棄する場合にも、同様に生ずる課題である。
【０００９】
本発明は、上記従来技術の課題を解決するためになされたものであって、機器の鍵を交換又は廃棄する場合に、鍵の交換漏れ又は廃棄漏れを効率良く防止することができる管理装置、管理システム及び管理方法を提供することを目的とする。
【課題を解決するための手段】
【００１０】
上述した課題を解決し、目的を達成するため、本発明は、第一の鍵と、前記第一の鍵と連結するキーホルダと、前記第一の鍵に関する情報を予め記憶する記憶部と、前記第一の鍵と前記キーホルダとの連結の解除の入力を受け付ける入力受付部とを備え、前記入力受付部により前記第一の鍵と前記キーホルダとの連結の解除を受け付けた場合に、前記記憶部に予め記憶された情報を基に、前記第一の鍵に関連する第二の鍵に係る情報を報知する。
【００１１】
また、本発明は、上記の発明において、前記キーホルダを収納する収納部の近傍にそれぞれ第一の表示部を有し、前記入力受付部により前記第一の鍵と前記キーホルダとの連結の解除を受け付けた場合に、前記第一の鍵に関連する第二の鍵が連結されたキーホルダを収納する収納部の近傍に設けられた第一の表示部が点灯又は点滅する。
【００１２】
また、本発明は、上記の発明において、文字表示が可能な第二の表示部をさらに備え、前記入力受付部により前記第一の鍵と前記キーホルダとの連結の解除を受け付けた場合に、前記第一の鍵に関連する第二の鍵に係る情報を前記第二の表示部に表示制御する。
【００１３】
また、本発明は、上記の発明において、前記入力受付部により前記第一の鍵と前記キーホルダとの連結の解除を受け付けた場合に、前記第一の鍵に関連する第二の鍵に係る情報を所定の印字部により所定の媒体に印字する。
【００１４】
また、本発明は、上記の発明において、前記キーホルダにはＩＣタグが内蔵され、前記入力受付部により前記第一の鍵と前記キーホルダとの連結の解除を受け付けた場合に、前記記憶部に予め記憶された情報を基に、前記第一の鍵に関連する第二の鍵に係る情報を特定して前記キーホルダに内蔵されたＩＣタグに記憶する。
【００１５】
また、本発明は、第一の管理装置と、該第一の管理装置と異なる第二の管理装置とを有する管理システムであって、前記第一の管理装置は、第一の鍵と、前記第一の鍵と連結するキーホルダと、前記第一の鍵に関する情報を予め記憶する記憶部と、前記第一の鍵と前記キーホルダとの連結の解除の入力を受け付ける入力受付部とを備え、前記入力受付部により前記第一の鍵と前記キーホルダとの連結の解除を受け付けた場合に、前記記憶部に予め記憶された情報を基に、前記第一の鍵に関連する第二の鍵に係る情報を所定の印字部により所定の媒体に印字し、前記第二の管理装置は、前記媒体に印字された前記第二の鍵に係る情報を読み取る読取部を備える。
【００１６】
また、本発明は、第一の管理装置と、該第一の管理装置と異なる第二の管理装置とを有する管理システムであって、前記第一の管理装置は、第一の鍵と、所定の情報を記憶するＩＣタグが内蔵され、前記第一の鍵と連結するキーホルダと、前記第一の鍵に関する情報を予め記憶する記憶部と、前記第一の鍵と前記キーホルダとの連結の解除の入力を受け付ける入力受付部とを備え、前記入力受付部により前記第一の鍵と前記キーホルダとの連結の解除を受け付けた場合に、前記記憶部に予め記憶された情報を基に、前記第一の鍵に関連する第二の鍵に係る情報を特定して前記キーホルダに内蔵されたＩＣタグに記憶し、前記第二の管理装置は、前記ＩＣタグに記憶された第二の鍵に係る情報を読み取る読取部と、前記読取部により読み取られた第二の鍵に係る情報を出力する出力部とを備える。
【００１７】
また、本発明は、第一の管理装置と、該第一の管理装置と異なる第二の管理装置とを有する管理システムであって、前記第一の管理装置は、第一の鍵と、前記第一の鍵と連結するキーホルダと、前記第一の鍵に関する情報を予め記憶する記憶部と、前記第一の鍵と前記キーホルダとの連結の解除の入力を受け付ける入力受付部と、前記入力受付部により前記第一の鍵と前記キーホルダとの連結の解除を受け付けた場合に、前記第二の管理装置と通信可能であることを条件として、前記連結の解除に係る解除情報を前記第二の管理装置に通知する通知部とを備える。
【００１８】
また、本発明は、上記の発明において、前記記憶部は、前記解除情報を記憶し、前記通知部は、前記第二の管理装置と通信可能な状態になったことを条件として、前記記憶部に記憶された前記解除情報を前記第二の管理装置に通知する。
【００１９】
また、本発明は、第一の管理装置と、前記第一の管理装置と通信可能なサーバ装置と、前記第一の管理装置と異なる第二の管理装置とを有する管理システムであって、前記第一の管理装置は、第一の鍵と、前記第一の鍵と連結するキーホルダと、前記第一の鍵に関する情報を予め記憶する記憶部と、前記第一の鍵と前記キーホルダとの連結の解除の入力を受け付ける入力受付部と、前記入力受付部により前記第一の鍵と前記キーホルダとの連結の解除を受け付けた場合に、前記連結の解除に係る解除情報を前記サーバ装置に通知する通知部とを備え、前記サーバ装置は、前記第一の管理装置から受信した解除情報を記憶する第二の記憶部を備える。
【００２０】
また、本発明は、上記の発明において、前記サーバ装置は、前記第二の管理装置と通信可能な状態になったことを条件として、前記第二の記憶部に記憶された前記解除情報を前記第二の管理装置に通知する。
【００２１】
また、本発明は、第一の鍵を管理する管理装置における管理方法であって、前記第一の鍵に関する情報を予め記憶部に記憶する記憶ステップと、前記第一の鍵と該第一の鍵を連結するキーホルダとの連結の解除の入力を受け付ける入力受付ステップと、前記第一の鍵と前記キーホルダとの連結の解除が前記入力受付ステップで入力された場合に、前記記憶部に予め記憶された情報を基に、前記第一の鍵に関連する第二の鍵に係る情報を報知する報知ステップとを含む。
【発明の効果】
【００２２】
本発明によれば、機器の鍵を交換又は廃棄する場合に、鍵の交換漏れ又は廃棄漏れを効率良く防止することができる。
【図面の簡単な説明】
【００２３】
【図１】図１は、本実施例１に係る鍵管理装置の概念を説明する図である。
【図２】図２は、本実施例１に係る管理システムのシステム構成を示す図である。
【図３】図３は、図１に示した鍵管理装置の内部構成を示す機能ブロック図である。
【図４】図４は、図３に示した鍵管理マスタの一例を示す図である。
【図５】図５は、図３に示した鍵貸出履歴情報の一例を示す図である。
【図６】図６は、図３に示した鍵交換履歴情報の一例を示す図である。
【図７】図７は、図３に示した関連鍵情報の一例を示す図である。
【図８】図８は、図２に示した管理サーバの内部構成を示す機能ブロック図である。
【図９】図９は、図３に示した鍵管理装置の鍵交換処理手順の一例を示すフローチャートである。
【図１０】図１０は、図９に示した鍵交換処理の具体例を示す説明図である。
【図１１】図１１は、本実施例２に係る管理システムの概要を示す図である。
【図１２】図１２は、副鍵管理装置の外観構成を示す斜視図である。
【図１３】図１３は、図１２に示した副鍵管理装置の内部構成を示す機能ブロック図である。
【図１４】図１４は、本実施例２における関連鍵情報の一例を示す図である。
【図１５】図１５は、本実施例２における鍵管理装置の鍵交換処理手順の一例を示すフローチャートである。
【図１６】図１６は、本実施例２における副鍵管理装置の鍵交換処理手順の一例を示すフローチャートである。
【図１７】図１７は、本変形例１に係る管理システムの概要を示す図である。
【図１８】図１８は、本変形例１における鍵管理装置の鍵交換処理手順の一例を示すフローチャートである。
【図１９】図１９は、本変形例２に係る管理システムの概要を示す図である。
【図２０】図２０は、本変形例２における鍵管理装置１０の鍵交換処理手順の一例を示すフローチャートである。
【図２１】図２１は、本変形例３に係る管理システムの概要を示す図である。
【図２２】図２２は、本変形例３にかかる管理サーバの内部構成の一例を示す機能ブロック図である。
【図２３】図２３は、本変形例３における管理システムの鍵交換処理手順の一例を示すシーケンス図である。
【図２４】図２４は、本変形例４における管理システムの概要構成を示す図である。
【発明を実施するための形態】
【００２４】
以下に、本発明に係る管理装置、管理システム及び管理方法の実施例を図面に基づいて詳細に説明する。
【実施例１】
【００２５】
以下、添付図面を参照して、本発明に係る管理装置、管理システム及び管理方法の好適な実施例を詳細に説明する。
【００２６】
＜鍵管理装置の概念＞
まず、本実施例１に係る鍵管理装置１０の概念について説明する。図１は、本実施例１に係る鍵管理装置１０の概念を説明する図である。本実施例１では、銀行等の金融機関の店舗に配設された貨幣処理装置や金庫等の鍵を鍵管理装置１０で管理する場合について説明することとする。なお、鍵管理装置１０は、本発明に係る管理装置の一例である。
【００２７】
図１に示す鍵管理装置１０は、扉１０ａにて開閉される鍵収納庫１０ｂと、表示操作部１１と、カードリーダ１２と、鍵交換操作部用扉１０ｄによって開閉される鍵交換操作部１５及びプリンタ１６とを有する。鍵収納庫１０ｂには、複数のホルダ収納部１３が設けられている。ホルダ収納部１３は、鍵がリング１４ａにより繋がれたキーホルダ１４を着脱可能に収納する。各ホルダ収納部１３は、キーホルダ１４の取り出しを許可又は禁止できるように図示しないロック機構が設けられている。鍵管理装置１０は、各ホルダ収納部１３に対する図示しないロック機構を制御することによって、各キーホルダ１４の取り出しの許可又は禁止を制御する。
【００２８】
各ホルダ収納部１３の上部にはホルダランプ１３ａが設けられており、ホルダランプ１３ａは、鍵交換や鍵廃棄のために鍵とキーホルダ１４との連結の解除があった場合に、この連結の解除に関連する鍵が連結されたキーホルダ１４である旨を点滅して報知する。例えば、図１に示すように、Ｎｏ．２のホルダ収納部１３に収納されたキーホルダ１４と鍵との連結が解除された場合に、この連結が解除された鍵に関連する鍵を収納するＮｏ．３のホルダ収納部１３のホルダランプ１３ａを点滅させ、Ｎｏ．３の鍵とキーホルダ１４との連結も解除すべき旨を報知する。なお、鍵とキーホルダ１４との連結の解除には、鍵交換や鍵廃棄が含まれるが、以下では鍵交換を行う場合について説明する。なお、鍵交換に関連する鍵とは、１つの鍵交換に関連して同時に鍵交換すべき鍵であり、副鍵も含まれる。
【００２９】
このホルダランプ１３ａの点滅のタイミングは、鍵交換の受付があった場合に行ってもよいし、鍵交換操作部１５による鍵交換操作が完了した場合に行ってもよいし、鍵交換したキーホルダ１４が収納されて鍵交換が完了した場合に行ってもよい。また、鍵交換された鍵に関連して鍵交換すべき鍵を連結するキーホルダ１４が複数ある場合には、この複数のキーホルダ１４に対応するホルダランプ１３ａがすべて点滅されるようにしてもよいし、１つの鍵交換の完了ごとに次に鍵交換すべき鍵を連結する１つのキーホルダ１４のホルダランプ１３ａを順次、点滅するようにしてもよい。
【００３０】
また、ホルダランプ１３ａの点滅に替えて、ホルダランプ１３ａを点灯してもよい。さらに、ホルダランプ１３ａは、最初に鍵交換する鍵を連結するキーホルダ１４の位置の案内及びキーホルダ１４の取り出しが可能である旨の報知のために、点滅するようにしてもよい。鍵交換する鍵を連結するキーホルダ１４の位置の案内及びキーホルダ１４の取り出しが可能である旨の報知のための点滅と同時に、この鍵交換に関連する鍵を連結するキーホルダ１４のホルダランプ１３ａの点滅を行う場合、ホルダランプ１３ａの点滅間隔、点滅と点灯、色などの表示態様を異ならせるようにする。なお、ホルダランプ１３ａの点滅あるいは点灯の色は任意の色とすることができる。
【００３１】
表示操作部１１は、タッチパネルディスプレイ等であり、操作員による操作入力を受け付けるとともに、各種情報を表示する。表示操作部１１は、鍵交換に関連する鍵が他のキーホルダ１４に連結されている場合に、他のキーホルダ１４に連結された鍵を交換すべき旨の案内表示がなされる。例えば、図１に示すように、表示操作部１１の表示領域Ｐには、「キーホルダＮｏ．２が交換されました。関連するキーホルダＮｏ．３を交換してください。」と表示される。
【００３２】
なお、ホルダランプ１３ａによる鍵交換すべきキーホルダ１４の報知と、表示操作部１１による鍵交換すべきキーホルダ１４の報知とは、いずれか一方を行ってもよいし、双方行ってもよい。
【００３３】
カードリーダ１２は、操作員が携帯するカードから識別情報等を読み取る読取装置である。ここではカードを磁気カードとする場合について説明するが、ＩＣカードであってもよい。プリンタ１６は、各種情報を印刷出力する。
【００３４】
鍵交換操作部１５は、パネル１５ａに設けられ、パネル１５ａには鍵交換すべきキーホルダ１４が挿入される挿入口１５ｂが設けられる。挿入口１５ｂの前面にはカバー１５ｃが開閉可能に配置されている。操作員が鍵交換権限を有する者であると認証された場合に、鍵交換すべき鍵が連結されたキーホルダ１４は挿入口１５ｂへの挿入が可能となる図示しないロック機構を有する。キーホルダ１４は、挿入口１５ｂへの挿入によってキーホルダ１４と鍵とを連結するリング１４ａを開放し、挿入口１５ｂから抜くことによってリング１４ａを閉鎖するリング開閉機構を有する。鍵交換操作は、キーホルダ１４を挿入口１５ｂに挿入し、リング１４ａを開放させ、鍵のリング１４ａへの取り付け、取り外しが可能な開放状態で、現在連結されていた鍵を取り外し、新たに交換する鍵をリング１４ａに取り付ける。その後、キーホルダ１４を挿入口１５ｂから抜くことによってリング１４ａが閉鎖され、リング１４ａを介して交換した鍵とキーホルダ１４とが連結される。なお、鍵交換ではなく、鍵廃棄を行う場合には、鍵をリング１４ａに取り付けることなく、キーホルダ１４を挿入口１５ｂから抜くことによって、キーホルダ１４のリング１４ａに鍵が連結されない状態でロックされる。
【００３５】
操作員がカードリーダ１２に対して図示しないカードを通すと、カードリーダ１２は、該カードからカードＩＤを読み取り、読み取ったカードＩＤに基づいて操作員の認証を行う。この認証の結果、鍵交換権限が操作員に設定されている場合には、鍵収納庫１０ｂの扉１０ａが解錠され、扉１０ａが開放可能になるとともに、鍵交換操作部用扉１０ｄが解錠され、鍵交換操作部用扉１０ｄが開放可能となり、鍵交換操作部１５による鍵交換操作が可能になる。鍵収納庫１０ｂには、１又は複数の鍵をリング１４ａにより繋いで保持するキーホルダ１４が複数収納されている。それぞれのキーホルダ１４は、それぞれ対応するホルダ収納部１３に挿入され、ロックされている。なお、認証の結果、使用権限のみ操作員に設定されている場合には、鍵収納庫１０ｂの扉１０ａが解錠され、扉１０ａが開放可能となり、キーホルダ１４の取り出しのみが可能となる。
【００３６】
このように、鍵管理装置１０は、鍵とキーホルダ１４との連結の解除を受けたことを条件に、この鍵とキーホルダ１４との連結の解除に関連する鍵を連結している他のキーホルダ１４に対応するホルダランプ１３ａを点滅あるいは点灯させることよって、鍵の連結を解除すべき他のキーホルダ１４が存在することを報知するので、鍵の交換漏れ又は廃棄漏れを効率良く防止することができる。また、他のキーホルダ１４が存在することを表示操作部１１に表示する報知を行っているので、鍵の交換漏れ又は廃棄漏れを効率良く防止することができる。
【００３７】
＜管理システムのシステム構成＞
次に、本実施例１に係る管理システムのシステム構成について説明する。図２は、本実施例１に係る管理システムのシステム構成を示す図である。図２に示すように、この管理システムは、鍵管理装置１０と、貨幣入出金機４０と、重要物管理装置５０とがネットワークを介して管理サーバ２０に接続される。また、管理サーバ２０は、管理者端末３０に接続される。
【００３８】
鍵管理装置１０は、貨幣入出金機４０及び重要物管理装置５０の鍵を管理する管理装置である。鍵管理装置１０は、取出対象となる鍵の指定操作を受け付けたならば、操作員が正当であることを条件として、指定された鍵を取り出すことが可能となる。なお、ここでは説明の便宜上、鍵管理装置１０が、貨幣入出金機４０及び重要物管理装置５０の鍵を管理する場合について説明するが、店舗内に配設された他の装置（ＡＴＭ（現金自動預払機；Automatic  Teller  Machine）、両替機、金庫等）の鍵を管理することもできる。
【００３９】
貨幣入出金機４０は、貨幣の入金処理及び出金処理を行う出納機と呼ばれる装置であり、バラ紙幣、所定枚数単位で結束された束紙幣、バラ硬貨及び所定枚数単位で包装された包装硬貨を取り扱う。この貨幣入出金機４０は、貨幣の払出指示操作を受け付けたならば、払出指示操作に応じた貨幣の払出処理を行うとともに、貨幣の収納指示操作を受け付けたならば、収納指示操作に応じた貨幣の収納処理を行う。貨幣入出金機４０の鍵としては、貨幣入出金機の扉を開閉する貨幣入出金機鍵、貨幣入出金機内の貨幣処理機のカセット鍵やメンテナンス鍵がある。貨幣入出金機４０の鍵を交換する場合に、これらの貨幣入出金機鍵、カセット鍵、メンテナンス鍵を同時に交換する必要があるとともに、これらの副鍵も同時に交換する必要がある。これらの貨幣入出金機鍵、カセット鍵、メンテナンス鍵は、上記の鍵交換に関連する鍵である。
【００４０】
重要物管理装置５０は、通帳、証書及び有価証券等の重要物を保管するための装置である。この重要物管理装置５０は、重要物を保管するための複数の収納部を有し、各収納部は、外部からのアクセスを制限するロック機構を有する。重要物管理装置５０は、重要物を取り出す旨の操作を受け付けたならば、重要物の種類に応じて対応する収納部のロックを解除して、指定された重要物の取り出しを可能とする。
【００４１】
管理サーバ２０は、貨幣入出金機４０及び重要物管理装置５０の鍵の管理を行うサーバ装置である。具体的には、鍵の属性、ホルダ、使用権限、鍵交換権限等の鍵の使用及び鍵交換に関する各種情報を対応付けた鍵管理マスタを生成して記憶する。なお、必要に応じて鍵管理マスタを鍵管理装置１０に配信する。
【００４２】
管理者端末３０は、鍵管理マスタの生成や変更を行う権限を有する管理者により使用される装置である。鍵管理マスタの生成や変更を行う場合には、図２に示すように、管理者が管理者端末３０を操作して、管理サーバ２０に対して鍵管理マスタ登録・更新を要求する（Ｓ１）。
【００４３】
管理サーバ２０は、管理者端末３０から鍵管理マスタ登録・更新の要求を受け付けると、鍵管理マスタの生成又は更新を行って自装置に記憶するとともに、新たな鍵管理マスタを鍵管理装置１０に配信する（Ｓ２）。鍵管理装置１０は、配信された鍵管理マスタを保持し、管理サーバ２０は、鍵管理マスタの配信完了を管理者端末３０に通知する（Ｓ３）。
【００４４】
なお、ここでは管理サーバ２０と管理者端末３０とが別装置である場合について説明するが、本発明はこれに限定されるものではなく、管理サーバ２０と管理者端末３０とを一体化し、管理者が管理サーバ２０を直接操作する場合に適用することもできる。
【００４５】
また、上記の鍵管理装置１０は、上記の管理システムに組み込まれることなく、単独の装置であってもよい。この場合、鍵管理マスタは、表示操作部１１などから直接、鍵管理装置１０に設定される。
【００４６】
＜鍵管理装置１０の内部構成＞
次に、図１に示した鍵管理装置１０の内部構成について説明する。図３は、図１に示した鍵管理装置１０の内部構成を示す機能ブロック図である。図３に示すように、鍵管理装置１０は、扉施錠機構１０ｃ、鍵交換操作部用扉施錠機構１０ｅ、表示操作部１１、カードリーダ１２、ホルダ収納部１３、ホルダランプ１３ａ、鍵交換操作部１５、プリンタ１６、通信部１７、記憶部１８、及び制御部１９を有する。なお、表示操作部１１、カードリーダ１２、ホルダ収納部１３、ホルダランプ１３ａ及び鍵交換操作部１５については、すでに図１を用いて説明したため、ここではその説明を省略する。
【００４７】
扉施錠機構１０ｃは、鍵収納庫１０ｂの扉１０ａを施錠する機構である。鍵交換操作部用扉施錠機構１０ｅは、鍵交換操作部用扉１０ｄを施錠する機構である。プリンタ１６は、ロール紙に対して情報を印刷する感熱式又はインクジェット式等の印刷部である。
【００４８】
通信部１７は、管理サーバ２０等の他の装置類とデータ通信するためのインタフェース部である。なお、具体的な通信の手段については、周知の有線通信又は無線通信を用いることができる。
【００４９】
記憶部１８は、ハードディスク装置や不揮発性メモリ等からなる記憶デバイスであり、鍵管理マスタ１８ａ、鍵貸出履歴情報１８ｂ、鍵交換履歴情報１８ｃ及び関連鍵情報１８ｄ等を記憶する。
【００５０】
鍵管理マスタ１８ａは、キーホルダの属性、使用権限、鍵交換権限など、キーホルダの使用及び鍵交換に関する各種情報を対応付けたデータである。この鍵管理マスタ１８ａを参照することにより、各キーホルダの使用権限や鍵交換権限等を確認することができる。図４は、図３に示した鍵管理マスタ１８ａの一例を示す図であり、図４に示すように、各ホルダ収納部番号について、属性、使用権限及び鍵交換権限が対応付けられている。属性には、鍵の名称と鍵の本数が含まれ、使用権限には、操作員の氏名及びカードＩＤごとの権限の有無が含まれている。また、鍵交換権限には、操作員の氏名及びカードＩＤごとの権限の有無が含まれている。例えば、ホルダ収納部番号「１」には、鍵の名称「金庫鍵」、鍵の本数「１」が設定され、また、氏名「Ａ  Ｂ」、カードＩＤ「１００１」に対して、ホルダ収納部番号「１」の使用権限及び鍵交換権限「有」、ホルダ収納部番号「２」の使用権限及び鍵交換権限「有」、ホルダ収納部番号「３」の使用権限及び鍵交換権限「有」、ホルダ収納部番号「４」の使用権限及び鍵交換権限「有」等が設定されている。
【００５１】
鍵貸出履歴情報１８ｂは、鍵の貸出の履歴を示すデータである。図５は、図３に示した鍵貸出履歴情報１８ｂの一例を示す図である。図５に示すように、鍵貸出履歴情報１８ｂは、貸出日時、返却日時、カードＩＤ、ホルダ収納部番号、キーホルダ１４の使用時間が含まれる。例えば、貸出日時「２０１６  ０７／１６  １０:４０」にカードＩＤ「１１０１」である操作員によってホルダ収納部番号「３」に対応するキーホルダ１４が取り出され、返却日時「２０１６  ０７／１６  １０:５３」に返却され、使用時間が１３分であることが示されている。
【００５２】
鍵交換履歴情報１８ｃは、鍵交換の履歴を示すデータである。図６は、図３に示した鍵交換履歴情報１８ｃの一例を示す図である。図６に示すように、鍵交換履歴情報１８ｃは、鍵交換日時、操作員カードＩＤ、ホルダ収納部番号が含まれている。例えば、交換日時「２０１６  ０７／１５  １８:００」にカードＩＤ「１１０１」である操作員によってホルダ収納部番号「３」に対応するキーホルダ１４の鍵が交換されたことを示している。
【００５３】
関連鍵情報１８ｄは、ホルダ収納部番号ごとに、ホルダ収納部番号のキーホルダ１４に連結された鍵に関連する鍵が連結されたキーホルダ１４が収納されているホルダ収納部１３のホルダ収納部番号を示すデータである。図７は、図３に示した関連鍵情報１８ｄの一例を示す図である。図３に示した関連鍵情報１８ｄでは、ホルダ収納番号「２」に連結された鍵に関連する鍵が連結されている関連ホルダ収納部番号が「３」、「４」、「５」であることを示している。ホルダ収納部番号「２」のキーホルダ１４に連結される鍵は、貨幣入出金機鍵であり、ホルダ収納番号「３」、「４」、「５」は、それぞれ貨幣入出金機のカセット鍵、メンテナンス鍵、副鍵である。
【００５４】
制御部１９は、鍵管理装置１０の全体を制御する制御部であり、鍵管理マスタ処理部１９ａ、認証処理部１９ｂ、鍵使用操作受付部１９ｃ、鍵交換操作受付部１９ｄ、ホルダ処理部１９ｅ、鍵交換処理部１９ｆ及び表示制御部１９ｇを有する。実際には、鍵使用後あるいは鍵交換完了後に対応するプログラムを不揮発性メモリや磁気ディスク装置などの記憶装置に記憶しておき、これらのプログラムをメモリにロードして、ＣＰＵ（Central  Processing  Unit）で実行することで、対応するプロセスを実行させることになる。
【００５５】
鍵管理マスタ処理部１９ａは、管理サーバ２０から受信した鍵管理マスタを記憶部１８に格納することで鍵管理マスタ１８ａを更新し、管理サーバ２０に対して更新完了を通知する処理を行う。なお、鍵管理装置１０が管理サーバ２０に接続されない構成である場合、例えば、近距離無線通信機能を備え、鍵管理マスタ１８ａをあらかじめ記憶部１８に記憶させておく。
【００５６】
認証処理部１９ｂは、カードリーダ１２によって操作員が所持するカードのカードＩＤを読み取って、該カードＩＤの認証処理を行う。この認証処理は、鍵管理マスタ１８ａを参照して行う。
【００５７】
鍵使用操作受付部１９ｃは、使用する鍵が連結されたキーホルダ１４を指定する操作を受け付ける処理部である。鍵使用操作受付部１９ｃは、認証処理部１９ｂによる認証の結果、操作員に鍵を取り出す使用権限が設定されており、操作員が表示操作部１１を介し、鍵属性を指定して使用する鍵が連結されたキーホルダ１４を特定した場合には、特定したキーホルダ１４の鍵使用操作を受け付ける。
【００５８】
鍵交換操作受付部１９ｄは、鍵が連結されたキーホルダ１４の鍵交換を指定する操作を受け付ける処理部である。鍵交換操作受付部１９ｄは、認証処理部１９ｂによる認証の結果、操作員に鍵交換権限が設定されおり、操作員が表示操作部１１を介し、鍵属性を指定して鍵交換のキーホルダ１４を特定した場合には、特定したキーホルダ１４の鍵交換操作を受け付ける。
【００５９】
ホルダ処理部１９ｅは、鍵使用及び鍵交換に関する処理を行う処理部である。具体的には、このホルダ処理部１９ｅは、鍵使用操作受付部１９ｃが鍵使用操作を受け付けた場合には、扉施錠機構１０ｃを解錠制御する。そして、ホルダ処理部１９ｅは、鍵使用が特定されたキーホルダ１４の上部にあるホルダランプ１３ａを点滅させる。
【００６０】
また、ホルダ処理部１９ｅは、鍵交換操作受付部１９ｄが鍵交換操作を受け付けた場合には、扉施錠機構１０ｃを解錠制御する。そして、ホルダ処理部１９ｅは、鍵交換が特定されたキーホルダ１４の上部にあるホルダランプ１３ａを点滅させる。さらに、ホルダ処理部１９ｅは、関連鍵情報１８ｄを参照して、鍵交換が特定されたキーホルダ１４に連結されている鍵に関連する鍵が連結されているキーホルダ１４のホルダランプ１３ａを点滅させる。
【００６１】
なお、ホルダ処理部１９ｅは、鍵使用あるいは鍵交換によるキーホルダ１４が返却されたならば、ホルダ収納部１３をロックする。
【００６２】
また、ホルダ処理部１９ｅは、鍵の貸出日時及び返却日時にカードＩＤとホルダ収納部１３の識別情報を対応付けて鍵貸出履歴情報１８ｂに登録する。鍵貸出履歴情報１８ｂには、鍵の使用時間も記録される。また、ホルダ処理部１９ｅは、鍵交換日時にカードＩＤとホルダ収納部１３の識別情報を対応付けて鍵交換履歴情報１８ｃに登録する。
【００６３】
なお、ホルダ収納部１３には、キーホルダ１４の有無を検知するセンサが設けられている。そして、キーホルダ１４が収納されていない状態からキーホルダ１４が収納された状態に変化した場合には、キーホルダ１４が返却されたものと判定する。
【００６４】
この他、あらかじめ他の装置から鍵使用のキーホルダ１４の通知を受け付けることもできる。例えば、貨幣入出金機４０にカードＩＤを読み取らせ、鍵の使用を予約する操作が行われると、貨幣入出金機４０から管理サーバ２０経由で鍵使用のキーホルダ１４の通知を受けるようにしてもよい。貨幣入出金機４０の鍵がどのキーホルダ１４に保持されているかは、管理サーバ２０で判定しても良いし、貨幣入出金機４０で判定してもよい。貨幣入出金機４０がキーホルダ１４を特定する場合には、あらかじめ管理サーバ２０から貨幣入出金機４０に鍵管理マスタが配信されることになる。
【００６５】
鍵交換処理部１９ｆは、鍵交換操作部１５による鍵交換に関する処理を行う処理部である。鍵交換処理部１９ｆは、鍵交換操作受付部１９ｄが鍵交換操作を受け付けた場合には、鍵交換操作部用扉施錠機構１０ｅを解錠制御する。鍵交換処理部１９ｆは、ロック機構を解除し、鍵交換が特定されたキーホルダ１４の挿入口１５ｂへの挿入を可能にする。そして、鍵交換が特定されたキーホルダ１４の挿入口１５ｂへの挿入によってキーホルダ１４のリング開閉機構が開放し、鍵の交換が可能となる。鍵交換操作が完了したキーホルダ１４は、もとのホルダ収納部１３に収納されることによって鍵交換が完了する。
【００６６】
表示制御部１９ｇは、鍵使用及び鍵交換に関する各種情報を表示操作部１１に表示する処理部である。具体的には、表示制御部１９ｇは、鍵使用及び鍵交換の対象となるキーホルダ１４を特定操作するための表示操作画面を表示する。また、表示制御部１９ｇは、鍵交換操作受付部１９ｄが鍵交換操作を受け付けた場合には、鍵交換が特定されたキーホルダ１４の位置の案内及びキーホルダ１４の取り出しが可能である旨の報知のための表示を行う。さらに、表示制御部１９ｇは、鍵交換が特定されたキーホルダ１４の鍵に関連する鍵が連結されたキーホルダ１４が存在することを報知する表示を行う。
【００６７】
＜管理サーバの構成＞
次に、図２に示した管理サーバ２０の内部構成について説明する。なお、この管理サーバ２０は、鍵管理装置１０が通信接続される場合の装置構成の一例を示すものである。図８は、図２に示した管理サーバ２０の内部構成を示す機能ブロック図である。図８に示すように、管理サーバ２０は、表示部２１、入力部２２、通信部２３、記憶部２４及び制御部２５を有する。
【００６８】
表示部２１は、液晶ディスプレイ装置等の表示デバイスである。入力部２２は、キーボードやマウス等の入力デバイスである。通信部２３は、鍵管理装置１０、管理者端末３０、貨幣入出金機４０及び重要物管理装置５０等と通信を行うための通信インタフェースである。記憶部２４は、ハードディスク装置や不揮発性メモリ等の記憶デバイスであり、鍵管理マスタ２４ａを記憶する。
【００６９】
制御部２５は、管理サーバ２０の全体を制御する制御部であり、鍵管理マスタ生成部２５ａ、鍵管理マスタ更新部２５ｂ及び更新完了処理部２５ｃを有する。実際には、これらの機能部に対応するプログラムを図示しないＲＯＭや不揮発性メモリに記憶しておき、これらのプログラムをＣＰＵ（Central  Processing  Unit）にロードして実行することにより、鍵管理マスタ生成部２５ａ、鍵管理マスタ更新部２５ｂ及び更新完了処理部２５ｃにそれぞれ対応するプロセスを実行させることになる。
【００７０】
鍵管理マスタ生成部２５ａは、管理者端末３０からの鍵管理マスタ登録要求に基づき鍵管理マスタ２４ａを生成し、生成した鍵管理マスタ２４ａを記憶部２４に記憶するとともに、該鍵管理マスタ２４ａを鍵管理装置１０などに配信する。
【００７１】
鍵管理マスタ更新部２５ｂは、管理者端末３０からの鍵管理マスタ更新要求に基づき、記憶部２４の鍵管理マスタ２４ａを更新し、更新後の鍵管理マスタ２４ａを鍵管理装置１０などに配信する。
【００７２】
更新完了処理部２５ｃは、鍵管理マスタ生成部２５ａ又は鍵管理マスタ更新部２５ｂが鍵管理マスタ２４ａを配信した後、配信先の鍵管理装置１０などから更新完了通知を受信した場合に、鍵管理マスタの配信完了を管理者端末３０に通知する処理を行う。
【００７３】
＜鍵管理装置の処理＞
次に、図３に示した鍵管理装置１０の鍵交換処理手順の一例について説明する。図９は、図３に示した鍵管理装置１０の鍵交換処理手順の一例を示すフローチャートである。ここでは、鍵交換が特定されたキーホルダ１４に連結された鍵に関連する鍵が連結された他のキーホルダ１４のホルダランプ１３ａの点滅及び表示操作部１１への表示を、鍵交換が特定されたキーホルダ１４の鍵交換操作が鍵交換操作部１５で完了した時点で行うようにしている。なお、鍵管理装置１０の記憶部１８にあらかじめ鍵管理マスタ１８ａが記憶されているものとする。
【００７４】
図９に示すように、まず、ホルダ処理部１９ｅは、鍵交換操作受付部１９ｄが鍵交換操作を受け付けたか否かを判定し（ステップＳ１０１）、鍵交換操作を受け付けていないならば（ステップＳ１０１；Ｎｏ）、そのまま処理を終了する。これに対して、鍵交換操作を受け付けているならば（ステップＳ１０１；Ｙｅｓ）、ホルダ処理部１９ｅは、鍵交換が特定されたキーホルダ１４の交換を案内する表示を表示操作部１１に表示するとともに、このキーホルダ１４のホルダランプ１３ａを点滅させる（ステップＳ１０２）。
【００７５】
その後、鍵交換が特定されたキーホルダ１４のホルダ収納部１３からの取り出し及び鍵交換操作部１５による鍵交換処理を可能にするロック解除を含む鍵交換処理を行う（ステップＳ１０３）。その後、ホルダ処理部１９ｅは、鍵交換操作部１５からキーホルダ１４が取り出されて鍵交換が終了したか否かを判定し（ステップＳ１０４）、鍵交換が終了していないならば（ステップＳ１０４；Ｎｏ）、ステップＳ１０３に戻って鍵交換処理を続行する。これに対し、鍵交換が終了したならば（ステップＳ１０４；Ｙｅｓ）、さらに、ホルダ処理部１９ｅは、関連鍵情報１８ｄを参照して、鍵交換が特定されたキーホルダ１４の鍵に関連する鍵があるか否かを判定する（ステップＳ１０５）。
【００７６】
鍵交換が特定されたキーホルダ１４の鍵に関連する鍵があるならば（ステップＳ１０５；Ｙｅｓ）、ステップＳ１０２に戻り、関連する鍵が連結されたキーホルダ１４の交換を案内する表示を表示操作部１１に表示するとともに、このキーホルダ１４のホルダランプ１３ａを点滅させる処理を行い、上記の処理を繰り返す。
【００７７】
一方、鍵交換が特定されたキーホルダ１４の鍵に関連する鍵がないならば（ステップＳ１０５；Ｎｏ）、関連する鍵交換がないので、ホルダ処理部１９ｅは、表示制御部１９ｇを介して、鍵交換完了表示を表示操作部１１に表示させ（ステップＳ１０６）、さらに上記の鍵交換処理で鍵交換された鍵交換完了情報を鍵交換履歴情報１８ｃに記憶し（ステップＳ１０７）、本処理を終了する。なお、上記の処理は、所定時間毎に繰り返し行う。
【００７８】
次に、図９で説明した鍵交換処理の具体例を説明する。図１０は、図９に示した鍵交換処理の具体例を示す説明図である。ここでは、表示操作部１１の表示例を中心に説明する。
【００７９】
図１０に示す待機画面Ｐ１では、「カードをリードしてください」等のメッセージが表示される。この状態で、操作員のカードＩＤをカードリーダ１２により読み取り、カードＩＤの認証を終えた後に、認証結果が操作員に鍵交換権限が設定されている場合、扉１０ａの解錠及び鍵交換操作部用扉１０ｄの解錠が行われる。
【００８０】
図１０に示した待機画面Ｐ１において「モード」ボタンが押下操作されたならば、管理メニュー画面Ｐ２が表示操作部１１に表示される。この管理メニュー画面には、「１．精査」ボタン、「２．登録」ボタン、「３．削除」ボタン、「４．時刻設定」ボタン及び「５．鍵交換」ボタンが含まれる。
【００８１】
この管理メニュー画面Ｐ２において、操作員により「５．鍵交換」ボタンが押下操作されたならば、鍵交換画面Ｐ３が表示操作部１１に表示される。鍵交換画面Ｐ３には、鍵属性情報が表示され、「鍵を選択してください。」とのメッセージが表示される。なお、鍵属性情報とは、キーホルダ１４に取り付けられている鍵の名称や本数などに関する情報である。鍵交換画面Ｐ３上で鍵交換すべき鍵が選択されたならば、鍵交換画面Ｐ４が表示される。鍵交換画面Ｐ４には、鍵交換を選択した鍵を連結するキーホルダ「Ｎｏ．２」が収納されるホルダ収納部１３の位置と、「キーホルダＮｏ．２を交換してください。」とする鍵交換のメッセージが表示される。また、鍵交換画面Ｐ３上で鍵交換すべき鍵が選択されたならば、鍵交換を選択した鍵を連結するキーホルダ「Ｎｏ．２」に対応するホルダランプ１３ａの点滅処理（Ａ４）を行う。
【００８２】
その後、鍵交換画面Ｐ４及びホルダランプ１３ａの点滅を参考に、キーホルダ「Ｎｏ．２」をホルダ収納部１３から取り外し、鍵交換操作部１５で鍵交換操作を行い、この鍵交換操作が終了すると、鍵交換画面Ｐ５が表示されるとともに、鍵交換された鍵に関連する鍵が連結されたキーホルダ「Ｎｏ．３」に対応するホルダランプ１３ａの点滅処理（Ａ５）を行う。鍵交換画面Ｐ５には、関連する鍵を連結するキーホルダ「Ｎｏ．３」が収納されるホルダ収納部１３の位置と、キーホルダＮｏ．３に連結される鍵の鍵属性情報とが表示されるとともに、「キーホルダＮｏ．２が交換されました。関連するキーホルダＮｏ．３を交換してください。」とする鍵交換のメッセージが表示される。
【００８３】
その後、キーホルダＮｏ．３に連結された鍵の鍵交換操作を行い、この鍵交換操作の終了後、さらに、関連する鍵を連結するキーホルダ１４、例えばキーホルダＮｏ．４が存在する場合には、このキーホルダＮｏ．４に対する鍵交換画面Ｐ５の表示及びホルダランプ１３ａの点滅処理（Ａ５）を行い、関連する鍵を連結するキーホルダ１４が存在しなくなるまで繰り返す。
【００８４】
関連する鍵を連結するキーホルダ１４が存在しない場合には、鍵交換終了画面Ｐ６が表示操作部１１に表示される。鍵交換終了画面Ｐ６では、「鍵の交換がすべて終わりました。関連する鍵はありません。」とするメッセージが表示される。なお、鍵交換終了画面Ｐ６の表示後、鍵交換履歴情報１８ｃは更新され、鍵管理装置１０が管理サーバ２０に接続されている場合には、鍵交換履歴情報１８ｃの更新情報は管理サーバ２０に通知され、鍵管理装置１０が管理サーバ２０に接続されていない場合、例えば、操作員は鍵交換履歴情報１８ｃの更新情報をプリンタ１６からシートに印刷出力する。管理サーバ２０は、鍵交換履歴情報１８ｃの更新情報が印刷出力されたシートから更新情報を読み込んで、この更新情報を記憶部２４内に取り込む。
【００８５】
本実施例１では、鍵交換操作受付部１９ｄにより、鍵交換すべき鍵を連結したキーホルダ１４が特定された場合、この鍵交換が特定された鍵に関連する鍵を連結するキーホルダ１４を収納するホルダ収納部１３のホルダランプ１３ａを点滅して鍵交換すべき鍵が存在することを報知し、また、表示操作部１１上に鍵交換すべき鍵が存在することを表示して報知するようにしているので、鍵の交換漏れ又は廃棄漏れを効率良く防止することができる。
【実施例２】
【００８６】
ところで、上記の実施例１では、１つの鍵管理装置１０が鍵を管理する場合を示したが、本実施例２では、鍵管理装置１０とは別体の鍵管理装置である副鍵管理装置１１０を設けた場合について説明する。すなわち、鍵管理装置１０を第一の管理装置とすると、副鍵管理装置１１０は第二の管理装置となる。第二の管理装置は、鍵管理装置１０と同じ構成であってもよいが、本変形例１では、第二の管理装置の一例として、副鍵を管理する副鍵管理装置１１０を設けている。副鍵管理装置１１０は、通常使用されない副鍵を管理するため、簡易な構成としている。
【００８７】
＜鍵管理システムの概要＞
図１１は、本実施例２に係る管理システムの概要を示す図である。図１１に示すように、鍵管理装置１０は、鍵交換操作中に、関連鍵情報１８ｄを参照して、鍵交換すべき副鍵が存在する場合、この副鍵の鍵交換に関する解除情報を二次元バーコード１０１として、プリンタ１６からシート１００に印刷出力する。この解除情報には、例えば鍵交換権限と、鍵交換すべき鍵の鍵交換情報とが含まれている。
【００８８】
副鍵管理装置１１０は、二次元バーコード１０１を読み取るコード読取部１３０を有する。コード読取部１３０は、二次元バーコード１０１が示す解除情報を読み取る。副鍵管理装置１１０は、読み取った解除情報を参照して副鍵の交換を可能な状態にする。
【００８９】
＜副鍵管理装置の外観構成＞
図１２は、副鍵管理装置１１０の外観構成を示す斜視図である。図１２に示すように、副鍵管理装置１１０は、上面に扉１１０ａを有した鍵収納庫１１０ｂと、表示操作部１１１と、コード読取部１３０と、プリンタ１１６とを有する。鍵収納庫１１０ｂは、鍵が収納されるボックス状の複数の鍵収納部１１３が設けられている。鍵収納部１１３は、扉１１０ａが開いていれば、自由に鍵の取り出しが可能である。鍵収納部１１３の上部には、ホルダランプ１３ａと同様な鍵収納部ランプ１１３ａが設けられている。
【００９０】
表示操作部１１１は、タッチパネルディスプレイ等であり、表示操作部１１と同様に、操作員による操作入力を受け付けるとともに、各種情報を表示する。表示操作部１１１は、鍵交換に関連する指示入力及び交換すべき鍵の案内表示を行う。
【００９１】
コード読取部１３０は、解除情報である二次元バーコード１０１を読み取る読取部である。プリンタ１１６は、プリンタ１６と同様に、各種情報を印刷出力する。
【００９２】
＜副鍵管理装置の内部構成＞
次に、図１２に示した副鍵管理装置１１０の内部構成について説明する。図１３は、図１２に示した副鍵管理装置１１０の内部構成を示す機能ブロック図である。図１３に示すように、副鍵管理装置１１０は、扉施錠機構１１０ｃ、表示操作部１１１、コード読取部１３０、鍵収納部ランプ１１３ａ、プリンタ１１６、記憶部１１８及び制御部１１９を有する。扉施錠機構１１０ｃは、鍵収納庫１１０ｂの扉１１０ａを施錠する機構である。
【００９３】
記憶部１１８は、ハードディスク装置や不揮発性メモリ等からなる記憶デバイスであり、鍵管理マスタ１１８ａ、鍵交換履歴情報１１８ｃ及び解除情報１１８ｅ等を記憶する。鍵管理マスタ１１８ａ及び鍵交換履歴情報１１８ｃは、それぞれ鍵管理マスタ１８ａ及び鍵交換履歴情報１８ｃに対応する。解除情報１１８ｅは、二次元バーコード１０１が示す情報である。
【００９４】
制御部１１９は、鍵管理装置１１０の全体を制御する制御部であり、認証処理部１１９ｂ、鍵交換操作受付部１１９ｄ、鍵収納処理部１１９ｅ及び表示制御部１１９ｇを有する。実際には、鍵使用後あるいは鍵交換完了後に対応するプログラムを不揮発性メモリや磁気ディスク装置などの記憶装置に記憶しておき、これらのプログラムをメモリにロードして、ＣＰＵ（Central  Processing  Unit）で実行することで、対応するプロセスを実行させることになる。
【００９５】
認証処理部１１９ｂ、鍵交換操作受付部１１９ｄ、鍵収納処理部１１９ｅ及び表示制御部１１９ｇは、それぞれ認証処理部１９ｂ、鍵交換操作受付部１９ｄ、ホルダ処理部１９ｅ及び表示制御部１９ｇに対応する。
【００９６】
認証処理部１１９ｂは、コード読取部１３０が読み取った解除情報から、操作員のＩＤを取り出し、鍵管理マスタ１１８ａを参照して認証処理を行う。
【００９７】
鍵交換操作受付部１１９ｄは、鍵の交換を受け付ける処理部である。鍵交換操作受付部１１９ｄは、認証処理部１１９ｂによる認証の結果、コード読取部１３０が読み取った解除情報１１８ｅが示す鍵交換に対する鍵交換権限が操作員に設定されている場合、鍵交換情報が示す鍵交換操作を受け付ける。
【００９８】
鍵収納処理部１１９ｅは、鍵交換操作受付部１１９ｄが鍵交換操作を受け付けると、鍵交換情報が示す鍵を収納する鍵収納部ランプ１１３ａを点滅させる。さらに、鍵収納処理部１１９ｅは、さらに解除情報を参照して、鍵交換をする鍵が存在する場合には、その鍵を収納する鍵収納部ランプ１１３ａを点滅させる。
【００９９】
表示制御部１１９ｇは、鍵交換操作受付部１１９ｄが受け付けた鍵交換操作に対する案内表示を行うとともに、各種情報の入力を行う。具体的には、鍵交換すべき鍵収納部１１３の位置を表示するとともに、鍵交換操作の案内表示を行う。
【０１００】
なお、図１４に示すように、鍵管理装置１０の関連鍵情報１８ｄには、副鍵管理装置１１０の装置シリアル番号を示す関連鍵管理装置番号と、副鍵管理装置１１０内の鍵収納部番号とが登録されている。装置シリアル番号は、認証処理に用いることができ、装置シリアル番号が一致し、操作者の鍵交換権限がある場合に、扉１１０ａを解錠することができる。
【０１０１】
＜鍵管理装置の処理＞
次に、本実施例２における鍵管理装置１０の鍵交換処理手順の一例について説明する。図１５は、本実施例２における鍵管理装置１０の鍵交換処理手順の一例を示すフローチャートである。
【０１０２】
図１５に示すように、ステップＳ２０１〜Ｓ２０４の処理は、図９に示した実施例１のステップＳ１０１〜Ｓ１０４と同じ処理である。ステップＳ２０４において、鍵交換が終了したならば（ステップＳ２０４；Ｙｅｓ）、さらに、ホルダ処理部１９ｅは、関連鍵情報１８ｄを参照して、鍵交換が特定されたキーホルダ１４の鍵に関連する鍵交換の対象となる鍵が、鍵管理装置１０内にあるか否かを判定する（ステップＳ２０５）。
【０１０３】
鍵交換が特定されたキーホルダ１４の鍵に関連する鍵が、鍵管理装置１０内に存在する場合には（ステップＳ２０５；Ｙｅｓ）、ステップＳ２０２に戻り、関連する鍵が連結されたキーホルダ１４の交換を案内するメッセージを表示操作部１１に表示するとともに、このキーホルダ１４のホルダランプ１３ａを点滅させる処理を行い、上記の処理を繰り返す。
【０１０４】
一方、鍵交換が特定されたキーホルダ１４の鍵に関連する鍵が、鍵管理装置１０内にない場合には（ステップＳ２０５；Ｎｏ）、さらに、鍵交換が特定されたキーホルダ１４の鍵に関連する鍵が、鍵管理装置１０外にあるか否かを判定する（ステップＳ２０６）。ここでは、鍵管理装置１０外の装置とは副鍵管理装置１１０である。鍵交換が特定されたキーホルダ１４の鍵に関連する鍵が、鍵管理装置１０外にないならば（ステップＳ２０６；Ｎｏ）、本処理を終了する。
【０１０５】
これに対し、鍵交換が特定されたキーホルダ１４の鍵に関連する鍵が、鍵管理装置１０外に存在するならば（ステップＳ２０６；Ｙｅｓ）、鍵管理装置１０外の鍵交換情報を含む解除情報を生成して、プリンタ１１６から印刷出力し（ステップＳ２０７）、本処理を終了する。なお、上記の処理は、所定時間毎に繰り返し行う。
【０１０６】
＜副鍵管理装置の処理＞
次に、本実施例２における副鍵管理装置１１０の鍵交換処理手順の一例について説明する。図１６は、本実施例２における副鍵管理装置１１０の鍵交換処理手順の一例を示すフローチャートである。
【０１０７】
図１６に示すように、まず、鍵収納処理部１１９ｅは、鍵交換操作受付部１１９ｄが鍵交換操作を受け付けたか否かを判定する（ステップＳ３０１）。なお、鍵交換操作受付部１１９ｄは、コード読取部１３０が読み取った解除情報１１８ｅ内の操作者のＩＤが、認証処理部１１９ｂによって鍵交換権限を有すると認証され、鍵交換情報が示す鍵交換すべき鍵が存在する場合に、鍵交換操作の受け付けがあったものを判定する。この鍵交換操作の受け付けがあった場合、鍵収納処理部１１９ｅは、扉施錠機構１１０ｃを解錠し、扉１１０ａを開放する。
【０１０８】
鍵収納処理部１１９ｅは、鍵交換操作を受け付けていないならば（ステップＳ３０１；Ｎｏ）、そのまま処理を終了する。これに対して、鍵交換操作を受け付けているならば（ステップＳ３０１；Ｙｅｓ）、鍵収納処理部１１９ｅは、鍵交換が特定された鍵の交換を案内するメッセージを表示操作部１１１に表示するとともに、この鍵収納部１１３の鍵収納部ランプ１１３ａを点滅させる（ステップＳ３０２）。
【０１０９】
その後、鍵収納処理部１１９ｅは、表示操作部１１１において、鍵交換が特定された鍵収納部１１３における鍵交換終了の入力があったか否かを判定し（ステップＳ３０３）、鍵交換終了の入力がないならば（ステップＳ３０３，Ｎｏ）、ステップＳ３０３の判定処理を繰り返し、鍵交換終了の入力があったならば（ステップＳ３０３，Ｙｅｓ）、解除情報１１８ｅを参照して、さらに関連する鍵があるか否かを判定する（ステップＳ３０４）。関連する鍵があるならば（ステップＳ３０４；Ｙｅｓ）、ステップＳ３０２に戻って次の鍵交換処理を続行する。
【０１１０】
これに対し、関連する鍵がないならば（ステップＳ３０４；Ｎｏ）、鍵交換完了情報を鍵交換履歴情報１１８ｃに記憶し（ステップＳ３０５）、さらに鍵交換完了情報をプリンタ１１６から二次元バーコードで印刷出力し（ステップＳ３０６）、本処理を終了する。なお、上記の処理は、所定時間毎に繰り返し行う。
【０１１１】
なお、鍵管理装置１０は、コード読取部１３０に対応したコード読取部を設け、このコード読取部が、ステップＳ３０６で印刷出力された二次元バーコードを読み取ることによって、鍵管理装置１０の鍵交換履歴情報１８ｃが更新される。
【０１１２】
また、鍵管理装置１０のプリンタ１６は、二次元バーコードではなく、文字や記号として解除情報を印字出力してもよい。この場合、副鍵管理装置１１０は、コード読取部１３０を設けず、操作員が直接、表示操作部１１１から解除情報の入力を行うことになる。
【０１１３】
さらに、副鍵管理装置１１０における鍵交換は、扉１１０ａが開放されるのみで、具体的な鍵交換履歴は表示操作部１１１に対する操作員の入力に従っている。このため、鍵交換履歴情報１１８ｃには、扉１１０ａの扉開閉情報を追加記憶する。
【０１１４】
本実施例２では、副鍵管理装置１１０などの第二の鍵管理装置を設ける場合であっても、他の装置の解除情報を二次元バーコードとして印刷媒体に出力し、この二次元バーコードをコード読取部１３０が読み取ることによって、第一の管理装置である鍵管理装置１０と第二の管理装置である副鍵管理装置１１０とにおける、関連する鍵交換の管理連携を簡易な構成で行うことができる。
【０１１５】
特に、副鍵を管理する副鍵管理装置１１０は、使用頻度が少なく、物理的に離隔した位置に配置される場合が多く、鍵交換時に副鍵の鍵交換漏れや鍵廃棄漏れが生じやすいが、本実施例２では、鍵管理装置１０側において副鍵管理装置１１０での副鍵の鍵交換があることを報知するようにしているので、上記の副鍵の鍵交換漏れや鍵廃棄漏れを防止することができる。
【０１１６】
＜変形例１＞
上記の実施例２では、他の装置の解除情報を二次元バーコードとして印刷媒体に出力し、この二次元バーコードをコード読取部１３０が読み取ることによって、第一の管理装置である鍵管理装置１０と第二の管理装置である副鍵管理装置１１０とにおける、関連する鍵交換の管理連携を簡易な構成で行うようにしていたが、本変形例１では、印刷媒体に替えて、ＩＣタグを用いるようにしている。
【０１１７】
図１７は、本変形例１に係る管理システムの概要を示す図である。図１７に示すように、本変形例１では、鍵管理装置１０のキーホルダ１４内にＲＦＩＤタグなどのＩＣタグ１４０が内蔵されている。また、鍵管理装置１０及び副鍵管理装置１１０には、ＩＣタグ１４０の情報読込とＩＣタグ１４０に対する情報書込とを行うＩＣタグリーダライタ６０，１６０がそれぞれ設けられている。
【０１１８】
鍵管理装置１０のホルダ処理部１９ｅは、鍵管理装置１０内の鍵交換に関連する鍵が副鍵管理装置１１０に存在する場合、上記の報知とともに、ＩＣタグリーダライタ６０を用いてキーホルダ１４内のＩＣタグ１４０に解除情報１１８ｅを書き込む。操作員は、解除情報１１８ｅが書き込まれたＩＣタグ１４０を内蔵するキーホルダ１４を副鍵管理装置１１０に持っていき、ＩＣタグリーダライタ１６０によりＩＣタグ１４０に書き込まれた解除情報１１８ｅを読み込む。これにより、実施例２と同様に、鍵管理装置１０と副鍵管理装置１１０との間における鍵交換の管理連携を簡易な構成で行うことができる。なお、解除情報１１８ｅが書き込まれるキーホルダ１４は、鍵交換されたキーホルダ１４であってもよいし、任意のキーホルダ１４であってもよいし、全てのキーホルダ１４であってもよい。ただし、ホルダ処理部１９ｅは、操作員に鍵交換操作が許されたキーホルダ１４のみを取り出し可能にする。
【０１１９】
＜変形例１の鍵管理装置の処理＞
次に、本変形例１における鍵管理装置１０の鍵交換処理手順の一例について説明する。図１８は、本変形例１における鍵管理装置１０の鍵交換処理手順の一例を示すフローチャートである。
【０１２０】
図１８に示すように、ステップＳ４０１〜Ｓ４０６の処理は、図１５に示した実施例２のステップＳ２０１〜Ｓ２０６と同じ処理である。ステップＳ４０６において、鍵交換が特定されたキーホルダ１４の鍵に関連する鍵が、鍵管理装置１０外にあるならば（ステップＳ４０６；Ｙｅｓ）、鍵管理装置１０外の鍵交換情報を含む解除情報を生成して、鍵交換されたキーホルダ１４のＩＣタグ１４０に解除情報を書き込み、このキーホルダ１４の取り出しを可能にし（ステップＳ４０７）、本処理を終了する。なお、上記の処理は、所定時間毎に繰り返し行う。
【０１２１】
＜変形例２＞
上記の実施例２では、他の装置の解除情報を二次元バーコードとして印刷媒体に出力し、この二次元バーコードをコード読取部１３０が読み取ることによって、第一の管理装置である鍵管理装置１０と第二の管理装置である副鍵管理装置１１０とにおける、関連する鍵交換の管理連携を簡易な構成で行うようにしていたが、本変形例２では、印刷媒体に替えて、無線通信部７０，１７０による無線通信で鍵交換の管理連携を行うようにしている。
【０１２２】
図１９は、本変形例２に係る管理システムの概要を示す図である。図１９に示すように、本変形例２では、鍵管理装置１０及び副鍵管理装置１１０がそれぞれ無線通信部７０，１７０を有している。無線通信部７０，１７０は、例えば、ＷｉＦｉ（登録商標）などの無線ＬＡＮを構築する手段である。
【０１２３】
鍵管理装置１０のホルダ処理部１９ｅは、鍵管理装置１０内の鍵交換に関連する鍵が副鍵管理装置１１０に存在する場合、無線通信部７０，１７０間の通信を確立し、無線通信部７０から無線通信部１７０に対して解除情報１１８ｅに送信する。これにより、実施例２と同様に、鍵管理装置１０と副鍵管理装置１１０との間における鍵交換の管理連携を簡易な構成で行うことができる。
【０１２４】
＜変形例２の鍵管理装置の処理＞
次に、本変形例２における鍵管理装置１０の鍵交換処理手順の一例について説明する。図２０は、本変形例２における鍵管理装置１０の鍵交換処理手順の一例を示すフローチャートである。
【０１２５】
図２０に示すように、ステップＳ５０１〜Ｓ５０６の処理は、図１５に示した実施例２のステップＳ２０１〜Ｓ２０６と同じ処理である。ステップＳ５０６において、鍵交換が特定されたキーホルダ１４の鍵に関連する鍵が、鍵管理装置１０外にあるならば（ステップＳ５０６；Ｙｅｓ）、無線通信部７０，１７０間の通信接続を確立し（ステップＳ５０７）、この無線回線を介して、鍵管理装置１０外の鍵交換情報を含む解除情報を生成して、送信する（ステップＳ５０８）。その後、鍵管理装置１０は、無線通信部７０，１７０間の通信接続を切断して（ステップＳ５０９）、本処理を終了する。なお、上記の処理は、所定時間毎に繰り返し行う。
【０１２６】
＜変形例３＞
上記の変形例２では、鍵管理装置１０と副鍵管理装置１１０とが無線通信部７０，１７０によって直接接続されるものであったが、変形例３の管理システムでは、管理サーバ２０を介して鍵管理装置１０と副鍵管理装置１１０とが接続されるようになっている。
【０１２７】
図２１は、本変形例３に係る管理システムの概要を示す図である。図２１に示すように、本変形例３では、鍵管理装置１０がネットワークＮを介して管理サーバ２０に常時接続されている。一方、副鍵管理装置１１０は、管理サーバ２０に設けられた近距離無線通信部２７０と副鍵管理装置１１０に設けられた無線通信部１７０との無線通信回線Ｎ１の確立によって通信接続される。
【０１２８】
図２２は、本変形例３にかかる管理サーバ２０の内部構成の一例を示す機能ブロック図である。図２２に示すように、管理サーバ２０は、図８に示した管理サーバ２０に対し、制御部２５に解除情報通知部２５ｄを有し、記憶部２４には解除情報２４ｅが記憶される。また、管理サーバ２０には、無線通信部２７０が設けられる。
なお、本図では通信部２３と無線通信部２７０は、異なる通信部であるとしたが、これに限らず、一つの通信部で鍵管理装置１０と、副鍵管理装置１１０に接続するようにしてもよい。また、通信の手段は有線であっても無線であってもよく、通信の方式もＷｉＦｉ（登録商標）に限らず、Ｂｌｕｅｔｏｏｔｈ（登録商標）やＧｉｇＢｅｅ（登録商標）などの他の方式であっても良い。
【０１２９】
解除情報通知部２５ｄは、鍵管理装置１０から通知された解除情報２４ｅを記憶部２４に記憶する。解除情報通知部２５ｄは、鍵管理装置１０から解除情報２４ｅが通知された場合、無線通信部２７０，１７０との間の無線通信を確立し、解除情報２４ｅを副鍵管理装置１１０に通知する。
【０１３０】
＜変形例３の管理システムの処理＞
次に、本変形例３における管理システムの鍵交換処理手順の一例について説明する。図２３は、本変形例３における管理システムの鍵交換処理手順の一例を示すシーケンス図である。
【０１３１】
図２３に示すように、まず、鍵管理装置１０は、解除情報が生成された場合、この解除情報を管理サーバ２０に送信する（ステップＳ６０１）。管理サーバ２０は、鍵管理装置１０から解除情報を受信すると、この解除情報を解除情報２４ｅとして記憶部２４に記憶する（ステップＳ６０２）。
【０１３２】
その後、管理サーバ２０は、副鍵管理装置１１０との間の無線通信を確立する（ステップＳ６０３）。そして、管理サーバ２０は、記憶部２４に記憶されている解除情報２４ｅを副鍵管理装置１１０に送信する（ステップＳ６０４）。その後、管理サーバ２０は、確立されていた無線通信を切断する（ステップＳ６０５）。
【０１３３】
その後、副鍵管理装置１１０は、解除情報２４ｅを用いて鍵交換処理を行う（ステップＳ６０６）。そして、副鍵管理装置１１０は、管理サーバ２０との間の無線通信を確立する（ステップＳ６０７）。そして、鍵交換処理の結果である鍵交換履歴情報１１８ｃを管理サーバ２０に送信する（ステップＳ６０８）。その後、副鍵管理装置１１０は、確立されていた無線通信を切断する（ステップＳ６０９）。
【０１３４】
その後、管理サーバ２０は、鍵交換履歴情報１１８ｃを鍵管理装置１０に送信する（ステップＳ６１０）。鍵管理装置１０は、受信した鍵交換履歴情報を鍵交換履歴情報１８ｃとして記憶部１８に記憶し（ステップＳ６１１）、本処理を終了する。
【０１３５】
＜変形例４＞
上記の実施例１，２及び変形例１〜３は、いずれも１つの店舗内の構成であることを前提としている。本変形例４では、図２４に示すように、鍵管理装置１０に対応する鍵管理装置１０Ａ、１０Ｂ、１０Ｃをそれぞれ支店Ａ、Ｂ、Ｃに配置し、鍵管理装置１０Ａ、１０Ｂ、１０Ｃが外部のネットワークＮを介して、外部のサーバ装置３２０に接続される。副鍵管理装置１１０Ａ、１１０Ｂ、１１０Ｃは、それぞれ実施例２、変形例１、２に対応した接続形態で接続される。
【０１３６】
サーバ装置３２０は、例えば本店内に配置され、鍵管理装置１０Ａ、１０Ｂ、１０Ｃを介して、鍵管理装置１０Ａ、１０Ｂ、１０Ｃ及び副鍵管理装置１１０Ａ、１１０Ｂ、１１０Ｃの鍵管理を統括的に行う。したがって、サーバ装置３２０は、鍵管理装置１０Ａ、１０Ｂ、１０Ｃ及び副鍵管理装置１１０Ａ、１１０Ｂ、１１０Ｃの鍵管理マスタ、鍵貸出履歴情報、鍵交換履歴情報、関連鍵情報を記憶して管理している。
【０１３７】
これにより、サーバ装置３２０は、全店一括して鍵管理を行うことが可能になり、現地支店における鍵に関する監査を行う必要がなくなる。
【０１３８】
なお、副鍵管理装置１１０Ａ、１１０Ｂ、１１０Ｃは、それぞれ対応する鍵管理装置１０Ａ、１０Ｂ、１０Ｃが配置される支店Ａ、Ｂ、Ｃに配置する必要はない。逆に、いずれかの異なる支店Ａ、Ｂ、Ｃに配置したり、支店Ａ、Ｂ、Ｃ間で入れ替えて配置するようにしてもよい。このようにすると、鍵管理上のリスクを回避することができる。
【０１３９】
また、上記の実施例１，２及び変形例１〜４において、鍵管理装置１０は、例えば重要物管理装置５０内の一部機能として組み込んでもよい。また、鍵管理装置１０の鍵交換操作部１５は、鍵管理装置１０から切り離して別体としてもよい。
【０１４０】
さらに、関連する鍵に包含関係を持たせても良い。例えば、鍵「Ｃ」が鍵「Ｂ」に包含され、鍵「Ｂ」が鍵「Ａ」に包含される関係がある場合に、鍵「Ｂ」の鍵交換があった場合、すべての鍵「Ａ」、「Ｂ」、「Ｃ」を関連する鍵とするのではなく、鍵「Ｂ」に包含される鍵「Ｃ」のみを関連する鍵としてもよい。
【０１４１】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４２】
本発明の管理装置、管理システム及び管理方法は、機器の鍵を交換又は廃棄する場合に、鍵の交換漏れ又は廃棄漏れを効率良く防止する場合に有用である。
【符号の説明】
【０１４３】
１０、１０Ａ、１０Ｂ、１０Ｃ  鍵管理装置
１０ａ，１１０ａ  扉
１０ｂ，１１０ｂ  鍵収納庫
１０ｃ，１１０ｃ  扉施錠機構
１０ｄ  鍵交換操作部用扉
１０ｅ  鍵交換操作部用扉施錠機構
１１，１１１  表示操作部
１２  カードリーダ
１３  ホルダ収納部
１３ａ  ホルダランプ
１４  キーホルダ
１４ａ  リング
１５  鍵交換操作部
１５ａ  パネル
１５ｂ  挿入口
１５ｃ  カバー
１６，１１６  プリンタ
１７，２３  通信部
１８，２４，１１８  記憶部
１８ａ，２４ａ，１１８ａ  鍵管理マスタ
１８ｄ  関連鍵情報
１８ｃ，１１８ｃ  鍵交換履歴情報
１８ｂ  鍵貸出履歴情報
１９，２５，１１９  制御部
１９ａ  鍵管理マスタ処理部
１９ｂ，１１９ｂ  認証処理部
１９ｃ  鍵使用操作受付部
１９ｄ，１１９ｄ  鍵交換操作受付部
１９ｅ  ホルダ処理部
１９ｆ  鍵交換処理部
１９ｇ，１１９ｇ  表示制御部
２０  管理サーバ
２１  表示部
２２  入力部
２４ｅ，１１８ｅ  解除情報
２５ａ  鍵管理マスタ生成部
２５ｂ  鍵管理マスタ更新部
２５ｃ  更新完了処理部
２５ｄ  解除情報通知部
３０  管理者端末
４０  貨幣入出金機
５０  重要物管理装置
６０，１６０  ＩＣタグリーダライタ
７０，１７０，２７０  無線通信部
１００  シート
１０１  二次元バーコード
１１０，１１０Ａ，１１０Ｂ，１１０Ｃ  副鍵管理装置
１１３  鍵収納部
１１３ａ  鍵収納部ランプ
１１９ｅ  鍵収納処理部
１３０  コード読取部
１４０  ＩＣタグ
３２０  サーバ装置
Ｐ１  待機画面
Ｐ２  管理メニュー画面
Ｐ３，Ｐ４，Ｐ５  鍵交換画面
Ｐ６  鍵交換終了画面
【図１】
2019173408.tif 000003
【図２】
2019173408.tif 000004
【図３】
2019173408.tif 000005
【図４】
2019173408.tif 000006
【図５】
2019173408.tif 000007
【図６】
2019173408.tif 000008
【図７】
2019173408.tif 000009
【図８】
2019173408.tif 000010
【図９】
2019173408.tif 000011
【図１０】
2019173408.tif 000012
【図１１】
2019173408.tif 000013
【図１２】
2019173408.tif 000014
【図１３】
2019173408.tif 000015
【図１４】
2019173408.tif 000016
【図１５】
2019173408.tif 000017
【図１６】
2019173408.tif 000018
【図１７】
2019173408.tif 000019
【図１８】
2019173408.tif 000020
【図１９】
2019173408.tif 000021
【図２０】
2019173408.tif 000022
【図２１】
2019173408.tif 000023
【図２２】
2019173408.tif 000024
【図２３】
2019173408.tif 000025
【図２４】
2019173408.tif 000026